(57)【要約】【課題】デジタルテレビ放送におけるＥＰＧデータの取り込みには、長時間を要する。リモコンの操作ミスなどの何らかの理由で一旦表示したＥＰＧデータを消してしまうと、再び長時間をかけてＥＰＧデータを取り込まなければならなかった。【構成】一度取り込んだＥＰＧデータはメモリに記憶され、ＥＰＧデータを確認する場合には、メモリからＥＰＧデータを読み出すように構成する。ＥＰＧデータは定期的にメモリに記憶され、常に最新の情報が保持されている。また、２つのチューナを用い、一方をテレビ放送の視聴用、もう一方をＥＰＧデータの取り込み用とすることで、テレビ放送の視聴中であっても常に定期的にＥＰＧデータを取り込むことができる。また、２つのチューナをＢＳ／ＣＳ１１０デジタル放送用と地上波デジタル放送用とすると、どちらかの放送を視聴中であっても、ＥＰＧデータは一方又は両方のデジタル放送のＥＰＧデータを確認することができる。【選択図】                図２
2004228992.tif 000002
【特許請求の範囲】
【請求項１】
番組情報を含むテレビ放送信号を受信するテレビ放送受信部と、受信したテレビ放送信号を表示するための表示部と、該表示部にテレビ放送番組又は／及び番組情報を表示するための信号処理を行う表示用信号処理部と、該テレビ放送信号に含まれる番組情報を記憶する記憶部と、テレビ放送信号中から番組情報を抽出する番組情報抽出部と、該番組情報の記憶や読出しを制御する制御部を有し、
該制御部が、上記記憶部に番組情報を表示するための制御信号を出力すると、記憶部に記憶されている番組情報を読出し、読み出された番組情報が、上記表示信号処理部において表示のための信号に変換されて表示部に表示され、
該制御部が、定期的に上記番組情報抽出部に番組情報を記憶するための制御信号を出力し、上記番組情報抽出部が受信中のテレビ放送信号から番組情報を抽出し、抽出された番組情報が上記記憶部に記憶されるテレビ放送受信装置。
【請求項２】
番組情報を含むテレビ放送信号を受信する複数のテレビ放送受信部と、受信したテレビ放送信号を表示するための表示部と、該表示部にテレビ放送番組又は／及び番組情報を表示するための信号処理を行う１以上の表示用信号処理部と、該テレビ放送信号に含まれる番組情報を記憶する記憶部と、テレビ放送信号中から番組情報を抽出する１以上の番組情報抽出部と、該番組情報の記憶や読出しを制御する制御部を有し、
該制御部が、上記記憶部に番組情報を表示するための制御信号を出力すると、記憶部に記憶されている番組情報を読出し、読み出された番組情報が、上記表示信号処理部において表示のための信号に変換されて、表示部に表示され、
該制御部が、定期的に、上記番組情報抽出部に、番組情報を記憶するための制御信号を出力し、上記番組情報抽出部が受信中のテレビ放送信号から番組情報を抽出し、抽出された番組情報が上記記憶部に記憶されるテレビ放送受信装置。
【請求項３】
上記テレビ放送受信部が、同じ放送方式のテレビ信号を受信可能な第一テレビ放送受信部と第二テレビ放送受信部で構成され、
第一テレビ放送受信部においてテレビ放送信号を受信し、上記番組情報処理部が該受信されたテレビ放送信号から番組情報を抽出し、上記記憶部に該番組情報を記憶し、
第二テレビ放送受信部に於て受信されたテレビ放送信号は、上記表示用信号処理部において、テレビ番組の表示信号又は／及び上記記憶部から読み出された番組情報の表示信号を生成し、表示部に表示する事を特徴とする請求項２に記載のテレビ放送受信装置。
【請求項４】
上記テレビ放送受信部が、第一方式のテレビ放送信号を受信可能な第一テレビ放送受信部と第二方式のテレビ放送信号を受信可能な第二テレビ放送受信部で構成され、
上記表示用信号処理部が、受信された第一方式のテレビ放送を表示するための第一表示用信号処理部と、受信された第二方式のテレビ放送を表示するための第二表示用信号処理部とで構成され、
視聴する放送方式を、選択できる選択部を有し、
該選択部において、第二方式のテレビ放送が選択されている場合に、第一テレビ放送受信部において第一方式のテレビ放送信号を受信し、上記番組情報処理部が該受信された第一方式のテレビ放送信号から第一方式のテレビ放送の番組情報を抽出し、上記記憶部に該番組情報を記憶し、第二テレビ放送受信部に於て受信された第二方式のテレビ放送信号は、上記第二表示用信号処理部において、テレビ番組の表示信号又は／及び上記記憶部から読み出された番組情報の表示信号を生成し、表示部に表示可能であり、
該選択部において、第一方式のテレビ放送が選択されている場合に、第二テレビ放送受信部において第二方式のテレビ放送信号を受信し、上記番組情報処理部が該受信された第二方式のテレビ放送信号から第二方式のテレビ放送の番組情報を抽出し、上記記憶部に該番組情報を記憶し、第一テレビ放送受信部に於て受信された第一方式のテレビ放送信号は、上記第一表示用信号処理部において、テレビ番組の表示信号又は／及び上記記憶部から読み出された番組情報の表示信号を生成し、表示部に表示可能である事を特徴とする請求項２に記載のテレビ放送受信装置。
【請求項５】
上記テレビ放送受信部が、アナログテレビ放送信号を受信可能なアナログテレビ放送受信部と、第一デジタル方式のテレビ放送信号を受信可能な第一デジタルテレビ放送受信部と第二方式のテレビ放送信号を受信可能な第二デジタルテレビ放送受信部で構成され、
上記表示用信号処理部が、受信されたアナログ方式のテレビ放送を表示するためのアナログ系表示用信号処理部と、受信された第一デジタル方式のテレビ放送を表示するための第一デジタル表示用信号処理部と、受信された第二デジタル方式のテレビ放送を表示するための第二デジタル表示用信号処理部とで構成され、
視聴する放送方式を、選択できる選択部を有し、
該選択部において、アナログ方式のテレビ放送が選択されている場合に、第一デジタルテレビ放送受信部において第一デジタル方式のテレビ放送信号を受信し、上記番組情報処理部が該受信された第一デジタル方式のテレビ放送信号から第一デジタル方式のテレビ放送の番組情報を抽出し、上記記憶部に該番組情報を記憶し、第二デジタルテレビ放送受信部において第二デジタル方式のテレビ放送信号を受信し、上記番組情報処理部が該受信された第二デジタル方式のテレビ放送信号から第二デジタル方式のテレビ放送の番組情報を抽出し、上記記憶部に該番組情報を記憶し、
また、アナログ放送受信部に於て受信されたアナログ方式のテレビ放送信号は、上記アナログ系表示用信号処理部において、テレビ番組の表示信号又は／及び上記記憶部から読み出された番組情報の表示信号を生成し、表示部に表示可能である事を特徴とする請求項２に記載のテレビ放送受信装置。
【請求項６】
上記表示部において、上記テレビ番組の映像と番組情報を同時に表示可能である事を特徴とする請求項１乃至５に記載のテレビ放送受信装置。
【発明の詳細な説明】
【０００１】
【産業上の利用分野】
本発明は、デジタルチューナ内蔵テレビに関し、特に入力されるＥＰＧデータを、テレビ内に設けたメモリに定期的に記録することにより、常に最新のＥＰＧデータを保持できるテレビに関する。
【０００２】
【従来の技術】
従来のデジタルチューナ内蔵テレビでは、放送されている番組のＥＰＧデータをデジタルチューナから取り込むことができる。例えば、特開２０００−１５２１５５号公報に記載のように、図４のシステムにおいて、専用端末機（４０３）は、衛星データ放送を介してＥＰＧデータ（４０４）を受信し、このＥＰＧデータ（４０４）に基づき、テレビ（４０１）に番組表を表示する。また、同公報の技術においては、リモートコントロー（４０５）で、録画予約を行いたい番組情報を番組表から選択し、選択結果を、赤外線通信を用いて専用端末機（４０３）に送信し、専用端末機（４０３）が、この選択結果に基づいて番組録画予約情報を作成し、作成した番組録画予約情報をリモートコントローラ（４０５）に送信することができる。リモートコントローラ（４０５）は、その番組録画予約情報を内部に記憶し、ＶＴＲ（４０２）にその番組録画予約情報を転送することによって番組録画予約することが可能となっている。
【０００３】
【特許文献】
特開２０００−１５２１５５号公報
【０００４】
【発明が解決しようとする課題】
ＥＰＧデータをデジタルチューナから取り込むことは、非常に時間を要する。さらに、番組の放送スケジュールは、時々変更されることもあり、最新のＥＰＧデータを取りこまなければならない。従って、番組表を確認したい場合は、その都度、長い時間をかけてＥＰＧデータを取り込まなければならない。
【０００５】
また、一度ＥＰＧデータを取り込んだにもかかわらず、リモコンボタンの押し間違いなどの操作ミスにより、ＥＰＧ画面を一度消してしまうと、再びデジタルチューナからＥＰＧデータを取り込まなければならず、非常に時間がかかる場合がある。
【０００６】
そこで、本発明では、取り込まれたＥＰＧデータをメモリに記憶し、メモリに記憶されたＥＰＧデータを定期的に最新のＥＰＧデータに更新して保持することにより、ＥＰＧ画面を表示するのにかかる時間を短縮することを目的とする。
【０００７】
さらに本発明では、デジタル放送のＥＰＧデータを２つのデジタルチューナを内蔵することで、例えテレビ視聴時であっても、もう一方のデジタルチューナを用いて定期的にＥＰＧデータを取り込み、メモリに記録されたＥＰＧデータを定期的に最新のＥＰＧデータに更新して保持し、ＥＰＧ画面を表示するのにかかる時間を短縮することを目的とする。
【０００８】
【課題を解決するための手段】
本願発明は、上記問題に鑑みなされたものであり、番組情報を含むテレビ放送信号を受信するテレビ放送受信部と、受信したテレビ放送信号を表示するための表示部と、該表示部にテレビ放送番組又は／及び番組情報を表示するための信号処理を行う表示用信号処理部と、該テレビ放送信号に含まれる番組情報を記憶する記憶部と、テレビ放送信号中から番組情報を抽出する番組情報抽出部と、該番組情報の記憶や読出しを制御する制御部を有し、該制御部が、上記記憶部に番組情報を表示するための制御信号を出力すると、記憶部に記憶されている番組情報を読出し、読み出された番組情報が、上記表示信号処理部において表示のための信号に変換されて表示部に表示され、該制御部が、定期的に上記番組情報抽出部に番組情報を記憶するための制御信号を出力し、上記番組情報抽出部が受信中のテレビ放送信号から番組情報を抽出し、抽出された番組情報が上記記憶部に記憶されるテレビ放送受信装置である。
【０００９】
また、番組情報を含むテレビ放送信号を受信する複数のテレビ放送受信部と、受信したテレビ放送信号を表示するための表示部と、該表示部にテレビ放送番組又は／及び番組情報を表示するための信号処理を行う１以上の表示用信号処理部と、該テレビ放送信号に含まれる番組情報を記憶する記憶部と、テレビ放送信号中から番組情報を抽出する１以上の番組情報抽出部と、該番組情報の記憶や読出しを制御する制御部を有し、該制御部が、上記記憶部に番組情報を表示するための制御信号を出力すると、記憶部に記憶されている番組情報を読出し、読み出された番組情報が、上記表示信号処理部において表示のための信号に変換されて、表示部に表示され、該制御部が、定期的に、上記番組情報抽出部に、番組情報を記憶するための制御信号を出力し、上記番組情報抽出部が受信中のテレビ放送信号から番組情報を抽出し、抽出された番組情報が上記記憶部に記憶されるテレビ放送受信装置でもある。
【００１０】
さらに、上記テレビ放送受信部が、同じ放送方式のテレビ信号を受信可能な第一テレビ放送受信部と第二テレビ放送受信部で構成され、第一テレビ放送受信部においてテレビ放送信号を受信し、上記番組情報処理部が該受信されたテレビ放送信号から番組情報を抽出し、上記記憶部に該番組情報を記憶し、第二テレビ放送受信部に於て受信されたテレビ放送信号は、上記表示用信号処理部において、テレビ番組の表示信号又は／及び上記記憶部から読み出された番組情報の表示信号を生成し、表示部に表示するように構成することもできる。
【００１１】
また、上記テレビ放送受信部が、第一方式のテレビ放送信号を受信可能な第一テレビ放送受信部と第二方式のテレビ放送信号を受信可能な第二テレビ放送受信部で構成され、上記表示用信号処理部が、受信された第一方式のテレビ放送を表示するための第一表示用信号処理部と、受信された第二方式のテレビ放送を表示するための第二表示用信号処理部とで構成され、視聴する放送方式を、選択できる選択部を有し、該選択部において、第二方式のテレビ放送が選択されている場合に、第一テレビ放送受信部において第一方式のテレビ放送信号を受信し、上記番組情報処理部が該受信された第一方式のテレビ放送信号から第一方式のテレビ放送の番組情報を抽出し、上記記憶部に該番組情報を記憶し、第二テレビ放送受信部に於て受信された第二方式のテレビ放送信号は、上記第二表示用信号処理部において、テレビ番組の表示信号又は／及び上記記憶部から読み出された番組情報の表示信号を生成し、表示部に表示可能であり、該選択部において、第一方式のテレビ放送が選択されている場合に、第二テレビ放送受信部において第二方式のテレビ放送信号を受信し、上記番組情報処理部が該受信された第二方式のテレビ放送信号から第二方式のテレビ放送の番組情報を抽出し、上記記憶部に該番組情報を記憶し、第一テレビ放送受信部に於て受信された第一方式のテレビ放送信号は、上記第一表示用信号処理部において、テレビ番組の表示信号又は／及び上記記憶部から読み出された番組情報の表示信号を生成し、表示部に表示可能であるように構成しても構わない。
【００１２】
さらに、上記テレビ放送受信部が、アナログテレビ放送信号を受信可能なアナログテレビ放送受信部と、第一デジタル方式のテレビ放送信号を受信可能な第一デジタルテレビ放送受信部と第二方式のテレビ放送信号を受信可能な第二デジタルテレビ放送受信部で構成され、上記表示用信号処理部が、受信されたアナログ方式のテレビ放送を表示するためのアナログ系表示用信号処理部と、受信された第一デジタル方式のテレビ放送を表示するための第一デジタル表示用信号処理部と、受信された第二デジタル方式のテレビ放送を表示するための第二デジタル表示用信号処理部とで構成され、視聴する放送方式を、選択できる選択部を有し、該選択部において、アナログ方式のテレビ放送が選択されている場合に、第一デジタルテレビ放送受信部において第一デジタル方式のテレビ放送信号を受信し、上記番組情報処理部が該受信された第一デジタル方式のテレビ放送信号から第一デジタル方式のテレビ放送の番組情報を抽出し、上記記憶部に該番組情報を記憶し、第二デジタルテレビ放送受信部において第二デジタル方式のテレビ放送信号を受信し、上記番組情報処理部が該受信された第二デジタル方式のテレビ放送信号から第二デジタル方式のテレビ放送の番組情報を抽出し、上記記憶部に該番組情報を記憶し、また、アナログ放送受信部に於て受信されたアナログ方式のテレビ放送信号は、上記アナログ系表示用信号処理部において、テレビ番組の表示信号又は／及び上記記憶部から読み出された番組情報の表示信号を生成し、表示部に表示可能であるように構成しても構わない。
【００１３】
また、上記表示部において、上記テレビ番組の映像と番組情報を同時に表示することも可能である。
【００１４】
【発明の実施の形態】
以下、本発明の実施例を、図面に沿って具体的に説明する。
【００１５】
まず、本発明の第一実施例における概略構成を示すブロック図を図１に示す。２つの同種のＢＳ／ＣＳ１１０度（または地上波）デジタルチューナ（１０１）、（１０２）とメモリ（１０６）を内蔵し、この２つのデジタルチューナで、それぞれ放送電波を受信し、トランスポート・ストリーム（以下ＴＳ）に変換する。
【００１６】
第一デジタルチューナ（１０１）は、ＥＰＧ取得用に用いる。第一デジタルチューナ（１０１）に放送電波が入力されると、ＴＳが第一デジタルチューナ（１０１）から出力される。出力されたＴＳは第一ビデオデコーダ（１０３）に入力され、デジタル映像信号、デジタル音声信号及びデータ放送信号からなるデジタル受信信号が出力される。
【００１７】
第一ビデオデコーダ（１０３）から出力されるデジタル受信信号は第一ＯＳＤプロセッサ（１０４）に入力されデジタル映像・音声信号とＥＰＧデータを含むデータ放送信号の提示のための処理が行われる。ここで、ＣＰＵ（１０７）から制御信号が入力され、予めフラッシュＲＯＭに記憶させておいた分離ソフト（１０５）がデジタル受信信号内のデータ放送信号からＥＰＧデータのみをメモリ（１０６）に記録する。
【００１８】
また、急濾特別番組などにより、ＥＰＧデータが変更された場合でも対応できるように、定期的にＣＰＵ（１０７）から制御信号を分離ソフト（１０５）に送り、この制御信号が分離ソフト（１０５）に入力されるとメモリ（１０６）に最新のＥＰＧデータが記録されるようにする。
【００１９】
上記の処理は、デジタルチューナを１つしか持っていない場合でも、実施可能である。しかし、デジタルチューナを１つしか持たない場合は、テレビ放送の視聴中には、上記の処理を行うことができない。従って、本発明では、さらにもう一つのデジタルチューナを有することより、効果的に機能させることができる。
【００２０】
即ち、もう一方の第二デジタルチューナ（１０２）は視聴用であり、第二デジタルチューナ（１０２）に放送電波が入力されると、ＴＳが第二デジタルチューナ（１０２）から出力される。出力されたＴＳは第二ビデオデコーダ（１０８）に入力され、デジタル映像信号、デジタル音声信号及びデータ放送信号からなるデジタル受信信号が出力される。
【００２１】
第二ビデオデコーダ（１０８）から出力されるデジタル受信信号は第二ＯＳＤプロセッサ（１０９）に入力されデジタル映像・音声信号とＥＰＧデータを含むデータ放送信号の提示処理が行われ、これらのデジタルデータを含むデジタル表示用信号が出力される。
【００２２】
デジタル表示用信号は、ＮＴＳＣエンコーダ（１１０）に入力される。ＮＴＳＣエンコーダ（１１０）に入力されたデジタル表示用信号は映像、音声として出力される。
【００２３】
この時、メモリ（１０６）に記録されたＥＰＧデータを表示する場合は、メモリがＣＰＵ（１０７）からＥＰＧ表示の制御信号を受け、第二ＯＳＤプロセッサ（１０９）に出力される。第二ＯＳＤプロセッサ（１０９）に出力されたＥＰＧデータは、デジタル表示用信号としてＮＴＳＣエンコーダ（１１０）に出力され、画面に表示される。
【００２４】
ここで、デジタルチューナ（１０１）、（１０２）では、一般に、指定された周波数の信号を選局し、変調波を復調し、誤り訂正処理を行い、フレームの再構成行い、エネルギーの逆拡散を行うことによってＴＳを抽出する。
【００２５】
さらに、ビデオデコーダ（１０３）、（１０８）では、一般に、送信側の多重装置（ＭＵＸ）において映像や音声などの複数のストリームが多重化されたＴＳから、必要なストリームを取り出す処理であるＤｅＭＵＸ処理を行うトランスポートデコードや、トランスポートデコードにより取り出された映像、音声、データ信号の復号処理を行うデコーダを含んでいる。一般に映像、音声についてはＭＰＥＧデコードを行い、データ放送については、受信信号のデータ符号化方式に従って複合化される。例えば、ＢＳデジタル放送では、ＢＭＬというマルチメディア符号化方式の応用言語が使用されている。また、有料放送などスクランブルをかけて放送された信号を受信するためのデスクランブル処理を含む場合もある。
【００２６】
また、ＯＳＤプロセッサ（１０４）、（１０９）では、一般に、映像、音声、データの提示を行うための処理をおこない、映像信号（動画像画面）の上にデータ放送画面を重ねて表示すること、字幕データを受信して字幕スーパーを重ねて表示することが可能である。また、ＥＰＧやメニュー画面などを映像画面に重ね合わせて表示することも可能である。
【００２７】
次に、本発明の第二実施例における概略構成を示すブロック図を図２に示す。ＢＳ／ＣＳ１１０度デジタルチューナ（２０１）、地上波デジタルチューナ（２０２）とメモリ（２０６）を内蔵し、この２つのデジタルチューナで、それぞれ放送電波を受信し、ＴＳに変換する。まず、地上波デジタルチューナを視聴用とした場合について説明する。
【００２８】
地上波デジタル放送を視聴しているとき、切り換えスイッチ（２１１）が図２のようにＡ側に接続されている。ＢＳ／ＣＳ１１０度デジタルチューナ（２０１）は、ＥＰＧ取得用に用いる。ＢＳ／ＣＳ１１０度デジタルチューナ（２０１）に放送電波が入力されると、ＢＳ／ＣＳ１１０度ＴＳがＢＳ／ＣＳ１１０度デジタルチューナ（２０１）から出力される。出力されたＢＳ／ＣＳ１１０度ＴＳはＢＳ／ＣＳ１１０度ピデオデコーダ（２０３）に入力され、ＢＳ／ＣＳ１１０度デジタル映像信号、ＢＳ／ＣＳ１１０度デジタル音声信号及びＢＳ／ＣＳ１１０度データ放送信号からなるＢＳ／ＣＳ１１０度デジタル受信信号が出力される。
【００２９】
次に、ＢＳ／ＣＳ１１０度ビデオデコーダ（２０３）から出力されるＢＳ／ＣＳ１１０度デジタル受信信号はＢＳ／ＣＳ１１０度ＯＳＤプロセッサ（２０４）に入力され、ＢＳ／ＣＳ１１０度デジタル映像・音声信号とＥＰＧデータを含むＢＳ／ＣＳ１１０度データ信号の提示のための処理が行われる。ここで、切り換えスイッチ（２１１）が図２のようにＡ側に接続されているため、ＢＳ／ＣＳ１１０度データ信号が、分離ソフト（２０５）で処理される。即ち、ＣＰＵ（２０７）から制御信号が入力され、予めフラッシュＲＯＭに記憶させておいた分離ソフト（２０５）が、ＢＳ／ＣＳ１１０度デジタル受信信号内のＢＳ／ＣＳ１１０度データ放送信号からＥＰＧデータのみをメモリ（２０６）に記録する。
【００３０】
また、急濾特別番組などにより、ＥＰＧデータが変更された場合でも対応できるように、定期的にＣＰＵ（２０７）から制御信号を分離ソフト（２０５）に送り、この制御信号が分離ソフト（２０５）に入力されるとメモリ（２０６）に最新のＥＰＧデータが記録されるようにする。
【００３１】
一方、地上波デジタルチューナ（２０２）は視聴用であり、地上波デジタルチューナ（２０２）に放送電波が入力されると、地上波ＴＳが地上波デジタルチューナ（２０２）から出力される。出力された地上波ＴＳは地上波ビデオデコーダ（２０８）に入力され、地上波デジタル映像信号、地上波デジタル音声信号及び地上波データ放送信号からなる地上波デジタル受信信号が出力される。
【００３２】
次に、地上波ビデオデコーダ（２０８）から出力される地上波デジタル受信信号は地上波ＯＳＤプロセッサ（２０９）に入力され地上波デジタル映像・音声信号とＥＰＧデータを含む地上波データ信号の提示処理が行われ、これらの信号からなる地上波表示用信号が出力される。
【００３３】
ここで、切り換えスイッチ（２１１）が図２にようにＡ側に接続されているため、地上波表示用信号は、ＮＴＳＣエンコーダ（２１０）に入力される。ＮＴＳＣエンコーダ（２１０）に入力された地上波表示用信号は映像、音声として出力される。
【００３４】
この時、メモリ（２０６）に記録されたＥＰＧデータを表示する場合は、メモリがＣＰＵ（２０７）からＢＳ／ＣＳ１１０度デジタル放送のＥＰＧ表示の制御信号を受けメモリに記憶されていたＢＳ／ＣＳ１１０度デジタル放送のＥＰＧデータが地上波ＯＳＤプロセッサ（２０９）に出力される。地上波ＯＳＤプロセッサ（２０９）に出力されたＢＳ／ＣＳ１１０度ＥＰＧデータは、ＮＴＳＣエンコーダ（２１０）に出力され、画面に表示され、地上波デジタル放送を視聴していても、ＢＳ／ＣＳ１１０度デジタル放送のＥＰＧデータを見ることができる。
【００３５】
さらに、ＢＳ／ＣＳ１１０度デジタルチューナを視聴用とした場合について説明する。
【００３６】
ＢＳ／ＣＳ１１０度デジタル放送を視聴しているとき、切り換えスイッチ（２１１）がＢ側に接続される。地上波デジタルチューナ（２０２）は、ＥＰＧ取得用に用いる。地上波デジタルチューナ（２０２）に放送電波が入力されると、地上波ＴＳが地上波デジタルチューナ（２０２）から出力される。出力された地上波ＴＳは地上波ピデオデコーダ（２０８）に入力され、地上波デジタル映像信号、地上波デジタル音声信号及び地上波データ放送信号からなる地上波デジタル受信信号が出力される。
【００３７】
次に、地上波ビデオデコーダ（２０８）から出力される地上波デジタル受信信号は、地上波ＯＳＤプロセッサ（２０９）に入力され、地上波デジタル映像・音声信号とＥＰＧデータを含む地上波データ信号の提示のための処理が行われる。ここで、切り換えスイッチ（２１１）がＢ側に接続されるため、地上波データ信号が、分離ソフト（２０５）で処理される。即ち、ＣＰＵ（２０７）から制御信号が入力され、予めフラッシュＲＯＭに記憶させておいた分離ソフト（２０５）が、地上波デジタル受信信号内の地上波データ放送信号からＥＰＧデータのみをメモリ（２０６）に記録する。
【００３８】
また、急濾特別番組などにより、ＥＰＧデータが変更された場合でも対応できるように、定期的にＣＰＵ（２０７）から制御信号を分離ソフト（２０５）に送り、この制御信号が分離ソフト（２０５）に入力されるとメモリ（２０６）に最新のＥＰＧデータが記録されるようにする。
【００３９】
一方、ＢＳ／ＣＳ１１０度デジタルチューナ（２０１）は視聴用であり、ＢＳ／ＣＳ１１０度デジタルチューナ（２０１）に放送電波が入力されると、ＢＳ／ＣＳ１１０度ＴＳがＢＳ／ＣＳ１１０度デジタルチューナ（２０１）から出力される。出力されたＢＳ／ＣＳ１１０度ＴＳは、ＢＳ／ＣＳ１１０度ビデオデコーダ（２０３）に入力され、ＢＳ／ＣＳ１１０度デジタル映像信号、ＢＳ／ＣＳ１１０度デジタル音声信号及びＢＳ／ＣＳ１１０度データ放送信号からなるＢＳ／ＣＳ１１０度デジタル受信信号が出力される。
【００４０】
次に、ＢＳ／ＣＳ１１０度ビデオデコーダ（２０３）から出力されるＢＳ／ＣＳ１１０度デジタル受信信号はＢＳ／ＣＳ１１０度ＯＳＤプロセッサ（２０４）に入力されＢＳ／ＣＳ１１０度デジタル映像・音声信号とＥＰＧデータを含むＢＳ／ＣＳ１１０度データ信号の提示処理が行われ、これらの信号からなるＢＳ／ＣＳ１１０度表示用信号が出力される。
【００４１】
ここで、切り換えスイッチ（２１１）がＢ側に接続されるため、ＢＳ／ＣＳ１１０度表示用信号は、ＮＴＳＣエンコーダ（２１０）に入力される。ＮＴＳＣエンコーダ（２１０）に入力されたＢＳ／ＣＳ１１０度表示用信号は映像、音声として出力される。
【００４２】
この時、メモリ（２０６）に記録されたＥＰＧデータを表示する場合は、メモリがＣＰＵ（２０７）から地上波デジタル放送のＥＰＧ表示の制御信号を受け、メモリに記憶されていた地上波デジタル放送のＥＰＧデータがＢＳ／ＣＳ１１０度ＯＳＤプロセッサ（２０４）に出力される。ＢＳ／ＣＳ１１０度ＯＳＤプロセッサ（２０４）に出力された地上波ＥＰＧデータは、ＮＴＳＣエンコーダ（２１０）に出力され、画面に表示され、ＢＳ／ＣＳ１１０度デジタル放送を視聴していても、地上波デジタル放送のＥＰＧデータを見ることができる。
【００４３】
ここで、デジタルチューナ（２０１）、（２０２）では、一般に、指定された周波数の信号を選局し、変調波を復調し、誤り訂正処理を行い、フレームの再構成行い、エネルギーの逆拡散を行うことによってＴＳを抽出する。
【００４４】
さらに、ビデオデコーダ（２０３）、（２０８）では、一般に、送信側の多重装置（ＭＵＸ）において映像や音声などの複数のストリームが多重化されたＴＳから、必要なストリームを取り出す処理であるＤｅＭＵＸ処理を行うトランスポートデコードや、トランスポートデコードにより取り出された映像、音声、データ信号の復号処理を行うデコーダを含んでいる。一般に映像、音声についてはＭＰＥＧデコードを行い、データ放送については、受信信号のデータ符号化方式に従って複合化される。例えば、ＢＳデジタル放送では、ＢＭＬというマルチメディア符号化方式の応用言語が使用されている。また、有料放送などスクランブルをかけて放送された信号を受信するためのデスクランブル処理を含む場合もある。
【００４５】
また、ＯＳＤプロセッサ（２０４）、（２０９）では、一般に、映像、音声、データの提示を行うための処理をおこない、映像信号（動画像画面）の上にデータ放送画面を重ねて表示すること、字幕データを受信して字幕スーパーを重ねて表示することが可能である。また、ＥＰＧやメニュー画面などを映像画面に重ね合わせて表示することも可能である。
【００４６】
さらに、本発明の第三実施例における概略構成を示すブロック図を図３に示す。アナログチューナ（３０１）、ＢＳ／ＣＳ１１０度デジタルチューナ（２０１）、地上波デジタルチューナ（２０２）とメモリ（２０６）を内蔵し、この３つのチューナで、それぞれ放送電波を受信し、２つのデジタルチューナではＴＳに変換する。まず、アナログチューナを視聴用とした場合について説明する。
【００４７】
アナログ放送を視聴しているとき、切り換えスイッチ（３０５）が図３のようにＡ側に接続されている。ＢＳ／ＣＳ１１０度デジタルチューナ（２０１）及び地上波デジタルチューナは、ＥＰＧ取得用に用いる。
【００４８】
ＢＳ／ＣＳ１１０度デジタルチューナ（２０１）に放送電波が入力されると、ＢＳ／ＣＳ１１０度ＴＳがＢＳ／ＣＳ１１０度デジタルチューナ（２０１）から出力される。出力されたＢＳ／ＣＳ１１０度ＴＳは、ＢＳ／ＣＳ１１０度ピデオデコーダ（２０３）に入力され、ＢＳ／ＣＳ１１０度デジタル映像信号、ＢＳ／ＣＳ１１０度デジタル音声信号及びＢＳ／ＣＳ１１０度データ放送信号からなるＢＳ／ＣＳ１１０度デジタル受信信号が出力される。
【００４９】
ＢＳ／ＣＳ１１０度ビデオデコーダ（２０３）から出力されるＢＳ／ＣＳ１１０度デジタル受信信号は、ＢＳ／ＣＳ１１０度ＯＳＤプロセッサ（２０４）に入力され、ＢＳ／ＣＳ１１０度デジタル映像・音声信号とＥＰＧデータを含むＢＳ／ＣＳ１１０度データ信号の提示のための処理が行われ。ここで、ＣＰＵ（２０７）から制御信号が入力され、予めフラッシュＲＯＭに記憶させておいたＢＳ／ＣＳ１１０度分離ソフト（３０６）が、ＢＳ／ＣＳ１１０度デジタル受信信号内のＢＳ／ＣＳ１１０度データ放送信号からＢＳ／ＣＳ１１０度ＥＰＧデータのみをメモリ（２０６）に記録する。
【００５０】
これと並行して、地上波デジタルチューナ（２０２）に放送電波が入力されると、地上波ＴＳが地上波デジタルチューナ（２０２）から出力される。出力された地上波ＴＳは、地上波ビデオデコーダ（２０８）に入力され、地上波デジタル映像信号、地上波デジタル音声信号及び地上波データ放送信号からなる地上波デジタル受信信号が出力される。
【００５１】
地上波ビデオデコーダ（２０８）から出力される地上波デジタル受信信号は、地上波ＯＳＤプロセッサ（２０９）に入力され地上波デジタル映像・音声信号とＥＰＧデータを含む地上波データ信号の提示のための処理が行われ。ここで、ＣＰＵ（２０７）から制御信号が入力され、予めフラッシュＲＯＭに記憶させておいた地上波分離ソフト（３０７）が、地上波デジタル受信信号内の地上波データ放送信号から地上波ＥＰＧデータのみをメモリ（２０６）に記録する。
【００５２】
また、急濾特別番組などにより、ＥＰＧデータが変更された場合でも対応できるように、定期的にＣＰＵ（２０７）から制御信号をＢＳ／ＣＳ１１０度分離ソフト（３０６）及び地上波分離ソフト（３０７）に送り、この制御信号がこれらの分離ソフト（３０６）（３０７）に入力されるとメモリ（２０６）に最新のＥＰＧデータが記録されるようにする。
【００５３】
ここで、メモリ（２０６）へのＢＳ／ＣＳ１１０度ＥＰＧデータの記憶と地上波ＥＰＧデータの記憶順序は、上記と逆であっても構わないし、同時であっても構わない。
【００５４】
一方、アナログチューナ（３０１）は視聴用であり、アナログチューナ（３０１）に放送電波が入力されると、アナログチューナ（３０１）からアナログ映像・音声信号出力される。出力されたアナログ映像・音声信号は、Ａ／Ｄコンバータを含むＮＴＳＣデコーダ（３０２）に入力され、デジタル化されて、アナログ系受信信号として、アナログ系ＯＳＤプロセッサ（３０３）に出力される。
【００５５】
次に、アナログ系ＯＳＤプロセッサ（３０３）に入力されアナログ系映像・音声信号の提示処理が行われ、これらの信号からなるアナログ系表示用信号が出力される。
【００５６】
ここで、切り換えスイッチ（３０５）がＡ側になっているため、アナログ系表示用信号は、ＮＴＳＣエンコーダ（３０４）に入力される。ＮＴＳＣエンコーダ（３０４）に入力されたアナログ系表示用信号は、映像、音声として出力される。
【００５７】
この時、メモリ（２０６）に記録されたＥＰＧデータを表示する場合は、メモリがＣＰＵ（２０７）からＥＰＧ表示の制御信号を受け、ＢＳ／ＣＳ１１０度ＥＰＧデータ又は地上波ＥＰＧデータのどちらか一方若しくは両方のＥＰＧデータが、制御信号により指定されて、アナログ系ＯＳＤプロセッサ（３０３）に出力される。アナログ系ＯＳＤプロセッサ（３０３）に出力されたＥＰＧデータは、アナログ系映像・音声信号と共にアナログ系表示用信号を形成し、ＮＴＳＣエンコーダ（３０４）に出力され、画面に表示される。従って、アナログ放送を視聴していても、ＢＳ／ＣＳ１１０度デジタル放送のＥＰＧ、地上波デジタル放送のＥＰＧのどちらか或いは両方を見ることができる。
【００５８】
次に、ＢＳ／ＣＳ１１０度デジタルチューナを視聴用とした場合について説明する。
【００５９】
ＢＳ／ＣＳ１１０度デジタル放送を視聴しているとき、切り換えスイッチ（３０５）がＢ側に接続されている。地上波デジタルチューナは、ＥＰＧ取得用に用いる。
【００６０】
地上波デジタルチューナ（２０２）に放送電波が入力されると、地上波ＴＳが地上波デジタルチューナ（２０２）から出力される。出力された地上波ＴＳは、地上波ビデオデコーダ（２０８）に入力され、地上波デジタル映像信号、地上波デジタル音声信号及び地上波データ放送信号からなる地上波デジタル受信信号が出力される。
【００６１】
地上波ビデオデコーダ（２０８）から出力される地上波デジタル受信信号は、地上波ＯＳＤプロセッサ（２０９）に入力され地上波デジタル映像・音声信号とＥＰＧデータを含む地上波データ信号の提示のための処理が行われ。ここで、ＣＰＵ（２０７）から制御信号が入力され、予めフラッシュＲＯＭに記憶させておいた地上波分離ソフト（３０７）が、地上波デジタル受信信号内の地上波データ放送信号から地上波ＥＰＧデータのみをメモリ（２０６）に記録する。
【００６２】
また、急濾特別番組などにより、ＥＰＧデータが変更された場合でも対応できるように、定期的にＣＰＵ（２０７）から制御信号を地上波分離ソフト（３０７）に送り、この制御信号がこの分離ソフト（３０７）に入力されるとメモリ（２０６）に最新のＥＰＧデータが記録されるようにする。
【００６３】
一方、ＢＳ／ＣＳ１１０度デジタルチューナ（２０１）は視聴用であり、ＢＳ／ＣＳ１１０度デジタルチューナ（２０１）に放送電波が入力されると、ＢＳ／ＣＳ１１０度ＴＳがＢＳ／ＣＳ１１０度デジタルチューナ（２０１）から出力される。出力されたＢＳ／ＣＳ１１０度ＴＳは、ＢＳ／ＣＳ１１０度ビデオデコーダ（２０３）に入力され、ＢＳ／ＣＳ１１０度デジタル映像信号、ＢＳ／ＣＳ１１０度デジタル音声信号及びＢＳ／ＣＳ１１０度データ放送信号からなるＢＳ／ＣＳ１１０度デジタル受信信号が出力される。
【００６４】
次に、ＢＳ／ＣＳ１１０度ビデオデコーダ（２０３）から出力されるＢＳ／ＣＳ１１０度デジタル受信信号は、ＢＳ／ＣＳ１１０度ＯＳＤプロセッサ（２０４）に入力され、ＢＳ／ＣＳ１１０度デジタル映像・音声信号とＥＰＧデータを含むＢＳ／ＣＳ１１０度データ信号の提示処理が行われ、これらの信号からなるＢＳ／ＣＳ１１０度表示用信号が出力される。
【００６５】
ここで、切り換えスイッチ（３０５）がＢ側に接続されているため、ＢＳ／ＣＳ１１０度表示用信号は、ＮＴＳＣエンコーダ（３０４）に入力される。ＮＴＳＣエンコーダ（３０４）に入力されたＢＳ／ＣＳ１１０度表示用信号は映像、音声として出力される。
【００６６】
この時、メモリ（２０６）に記録されたＥＰＧデータを表示する場合は、メモリがＣＰＵ（２０７）から地上波デジタル放送のＥＰＧ表示の制御信号を受け、メモリに記憶されていた地上波デジタル放送のＥＰＧデータがＢＳ／ＣＳ１１０度ＯＳＤプロセッサ（２０４）に出力される。ＢＳ／ＣＳ１１０度ＯＳＤプロセッサ（２０４）に出力された地上波ＥＰＧデータは、ＮＴＳＣエンコーダ（２１０）に出力され、画面に表示され、ＢＳ／ＣＳ１１０度デジタル放送を視聴していても、地上波デジタル放送のＥＰＧデータを見ることができる。
【００６７】
この時、アナログ放送の受信は行われない。
【００６８】
次に、地上波デジタルチューナを視聴用とした場合について説明する。
【００６９】
地上波デジタル放送を視聴しているとき、切り換えスイッチ（３０５）がＣ側に接続されている。ＢＳ／Ｃ１１０度デジタルチューナは、ＥＰＧ取得用に用いる。
【００７０】
ＢＳ／ＣＳ１１０度デジタルチューナ（２０１）に放送電波が入力されると、ＢＳ／ＣＳ１１０度ＴＳがＢＳ／ＣＳ１１０度デジタルチューナ（２０３）から出力される。出力されたＢＳ／ＣＳ１１０度ＴＳは、ＢＳ／ＣＳ１１０度ビデオデコーダ（２０３）に入力され、ＢＳ／ＣＳ１１０度デジタル映像信号、ＢＳ／ＣＳ１１０度デジタル音声信号及びＢＳ／ＣＳ１１０度データ放送信号からなるＢＳ／ＣＳ１１０度デジタル受信信号が出力される。
【００７１】
ＢＳ／ＣＳ１１０度ビデオデコーダ（２０３）から出力されるＢＳ／ＣＳ１１０度デジタル受信信号は、ＢＳ／ＣＳ１１０度ＯＳＤプロセッサ（２０４）に入力されＢＳ／ＣＳ１１０度デジタル映像・音声信号とＥＰＧデータを含むＢＳ／ＣＳ１１０度データ信号の提示のための処理が行われ。ここで、ＣＰＵ（２０７）から制御信号が入力され、予めフラッシュＲＯＭに記憶させておいたＢＳ／ＣＳ分離ソフト（３０６）が、ＢＳ／ＣＳ１１０度デジタル受信信号内のＢＳ／ＣＳ１１０度データ放送信号からＢＳ／ＣＳ１１０度ＥＰＧデータのみをメモリ（２０６）に記録する。
【００７２】
また、急濾特別番組などにより、ＥＰＧデータが変更された場合でも対応できるように、定期的にＣＰＵ（２０７）から制御信号を地上波分離ソフト（３０６）に送り、この制御信号がこの分離ソフト（３０６）に入力されるとメモリ（２０６）に最新のＥＰＧデータが記録されるようにする。
【００７３】
一方、地上波デジタルチューナ（２０２）は視聴用であり、地上波デジタルチューナ（２０２）に放送電波が入力されると、地上波ＴＳが地上波デジタルチューナ（２０２）から出力される。出力された地上波ＴＳは、地上波ビデオデコーダ（２０８）に入力され、地上波デジタル映像信号、地上波デジタル音声信号及び地上波データ放送信号からなる地上波デジタル受信信号が出力される。
【００７４】
次に、地上波ビデオデコーダ（２０８）から出力される地上波デジタル受信信号は、地上波ＯＳＤプロセッサ（２０９）に入力され、地上波デジタル映像・音声信号とＥＰＧデータを含む地上波データ信号の提示処理が行われ、これらの信号からなる地上波表示用信号が出力される。
【００７５】
ここで、切り換えスイッチ（３０５）がＣ側に接続されているため、地上波表示用信号は、ＮＴＳＣエンコーダ（３０４）に入力される。ＮＴＳＣエンコーダ（３０４）に入力された地上波表示用信号は映像、音声として出力される。
【００７６】
この時、メモリ（２０６）に記録されたＥＰＧデータを表示する場合は、メモリがＣＰＵ（２０７）からＢＳ／ＣＳ１１０度デジタル放送のＥＰＧ表示の制御信号を受け、メモリに記憶されてＢＳ／ＣＳ１１０度デジタル放送のＥＰＧデータが地上波ＯＳＤプロセッサ（２０９）に出力される。地上波ＯＳＤプロセッサ（２０９）に出力されたＢＳ／１１０度ＥＰＧデータは、ＮＴＳＣエンコーダ（３０４）に出力され、画面に表示され、地上波デジタル放送を視聴していても、ＢＳ／ＣＳ１１０度デジタル放送のＥＰＧデータを見ることができる。
【００７７】
ここで、デジタルチューナ（２０１）、（２０２）では、一般に、指定された周波数の信号を選局し、変調波を復調し、誤り訂正処理を行い、フレームの再構成行い、エネルギーの逆拡散を行うことによってＴＳを抽出する。
【００７８】
さらに、ビデオデコーダ（２０３）、（２０８）では、一般に、送信側の多重装置（ＭＵＸ）において映像や音声などの複数のストリームが多重化されたＴＳから、必要なストリームを取り出す処理であるＤｅＭＵＸ処理を行うトランスポートデコードや、トランスポートデコードにより取り出された映像、音声、データ信号の復号処理を行うデコーダを含んでいる。一般に映像、音声についてはＭＰＥＧデコードを行い、データ放送については、受信信号のデータ符号化方式に従って複合化される。例えば、ＢＳデジタル放送では、ＢＭＬというマルチメディア符号化方式の応用言語が使用されている。また、有料放送などスクランブルをかけて放送された信号を受信するためのデスクランブル処理を含む場合もある。
【００７９】
また、ＯＳＤプロセッサ（２０４）、（２０９）、（３０３）では、一般に、映像、音声、データの提示を行うための処理をおこない、映像信号（動画像画面）の上にデータ放送画面を重ねて表示すること、字幕データを受信して字幕スーパーを重ねて表示することが可能である。また、ＥＰＧやメニュー画面などを映像画面に重ね合わせて表示することも可能である。
【００８０】
ここで、上記の定期的とは、例えば１時間毎などであるが、これに限定されるものではない。
【００８１】
【発明の効果】
本発明は、番組情報を含むテレビ放送信号を受信するテレビ放送受信部と、受信したテレビ放送信号を表示するための表示部と、該表示部にテレビ放送番組又は／及び番組情報を表示するための信号処理を行う表示用信号処理部と、該テレビ放送信号に含まれる番組情報を記憶する記憶部と、テレビ放送信号中から番組情報を抽出する番組情報抽出部と、該番組情報の記憶や読出しを制御する制御部を有し、該制御部が、上記記憶部に番組情報を表示するための制御信号を出力すると、記憶部に記憶されている番組情報を読出し、読み出された番組情報が、上記表示信号処理部において表示のための信号に変換されて表示部に表示され、該制御部が、定期的に上記番組情報抽出部に番組情報を記憶するための制御信号を出力し、上記番組情報抽出部が受信中のテレビ放送信号から番組情報を抽出し、抽出された番組情報が上記記憶部に記憶されるテレビ放送受信装置である。
【００８２】
従って、長い時間を必要とするＥＰＧデータの取り込みを一度行うと、そのＥＰＧデータがメモリに記憶されるため、メモリからＥＰＧデータを読み出して表示することにより、ＥＰＧデータの表示に要する時間を短縮できるばかりでなく、メモリに記憶されているＥＰＧデータを定期的に更新することにより、最新のＥＰＧデータを短い時間で表示することができる。
【００８３】
また、本発明は、番組情報を含むテレビ放送信号を受信する複数のテレビ放送受信部と、受信したテレビ放送信号を表示するための表示部と、該表示部にテレビ放送番組又は／及び番組情報を表示するための信号処理を行う１以上の表示用信号処理部と、該テレビ放送信号に含まれる番組情報を記憶する記憶部と、テレビ放送信号中から番組情報を抽出する１以上の番組情報抽出部と、該番組情報の記憶や読出しを制御する制御部を有し、該制御部が、上記記憶部に番組情報を表示するための制御信号を出力すると、記憶部に記憶されている番組情報を読出し、読み出された番組情報が、上記表示信号処理部において表示のための信号に変換されて、表示部に表示され、該制御部が、定期的に、上記番組情報抽出部に、番組情報を記憶するための制御信号を出力し、上記番組情報抽出部が受信中のテレビ放送信号から番組情報を抽出し、抽出された番組情報が上記記憶部に記憶されるテレビ放送受信装置でもある。
【００８４】
従って、一方のチューナでテレビ視聴を行い、もう一方のチューナを使用してＥＰＧデータの取り込みを行うことができる。１つのチューナしか有していないと、テレビ視聴中はＥＰＧデータの取り込みができないため、テレビ視聴が終わるまでメモリを最新のＥＰＧデータに更新することができないという問題を解決することができ、常に最新のＥＰＧデータをメモリに保持することができる。
【００８５】
さらに、本発明は、上記テレビ放送受信部が、同じ放送方式のテレビ信号を受信可能な第一テレビ放送受信部と第二テレビ放送受信部で構成され、第一テレビ放送受信部においてテレビ放送信号を受信し、上記番組情報処理部が該受信されたテレビ放送信号から番組情報を抽出し、上記記憶部に該番組情報を記憶し、第二テレビ放送受信部に於て受信されたテレビ放送信号は、上記表示用信号処理部において、テレビ番組の表示信号又は／及び上記記憶部から読み出された番組情報の表示信号を生成し、表示部に表示する事を特徴とする請求項２に記載のテレビ放送受信装置でもある。
【００８６】
この場合、上記のようにテレビ視聴時であっても、常にメモリに最新のＥＰＧデータを保持できるという効果が、より顕著に得られる。
【００８７】
一方、本発明は、上記テレビ放送受信部が、第一方式のテレビ放送信号を受信可能な第一テレビ放送受信部と第二方式のテレビ放送信号を受信可能な第二テレビ放送受信部で構成され、上記表示用信号処理部が、受信された第一方式のテレビ放送を表示するための第一表示用信号処理部と、受信された第二方式のテレビ放送を表示するための第二表示用信号処理部とで構成され、視聴する放送方式を、選択できる選択部を有し、該選択部において、第二方式のテレビ放送が選択されている場合に、第一テレビ放送受信部において第一方式のテレビ放送信号を受信し、上記番組情報処理部が該受信された第一方式のテレビ放送信号から第一方式のテレビ放送の番組情報を抽出し、上記記憶部に該番組情報を記憶し、第二テレビ放送受信部に於て受信された第二方式のテレビ放送信号は、上記第二表示用信号処理部において、テレビ番組の表示信号又は／及び上記記憶部から読み出された番組情報の表示信号を生成し、表示部に表示可能であり、該選択部において、第一方式のテレビ放送が選択されている場合に、第二テレビ放送受信部において第二方式のテレビ放送信号を受信し、上記番組情報処理部が該受信された第二方式のテレビ放送信号から第二方式のテレビ放送の番組情報を抽出し、上記記憶部に該番組情報を記憶し、第一テレビ放送受信部に於て受信された第一方式のテレビ放送信号は、上記第一表示用信号処理部において、テレビ番組の表示信号又は／及び上記記憶部から読み出された番組情報の表示信号を生成し、表示部に表示可能である事を特徴とする請求項２に記載のテレビ放送受信装置でもある。
【００８８】
従って、２つの放送方式のテレビ放送を受信できるテレビであって、一方の方式のテレビ番組を視聴中に、他方の方式のＥＰＧデータを獲得し、常に最新のＥＰＧデータを保持することができる。さらに、視聴している方式と異なる方式のテレビ放送に関するＥＰＧデータをも確認することができる。
【００８９】
さらに、本発明は、上記テレビ放送受信部が、アナログテレビ放送信号を受信可能なアナログテレビ放送受信部と、第一デジタル方式のテレビ放送信号を受信可能な第一デジタルテレビ放送受信部と第二方式のテレビ放送信号を受信可能な第二デジタルテレビ放送受信部で構成され、上記表示用信号処理部が、受信されたアナログ方式のテレビ放送を表示するためのアナログ系表示用信号処理部と、受信された第一デジタル方式のテレビ放送を表示するための第一デジタル表示用信号処理部と、受信された第二デジタル方式のテレビ放送を表示するための第二デジタル表示用信号処理部とで構成され、視聴する放送方式を、選択できる選択部を有し、該選択部において、アナログ方式のテレビ放送が選択されている場合に、第一デジタルテレビ放送受信部において第一デジタル方式のテレビ放送信号を受信し、上記番組情報処理部が該受信された第一デジタル方式のテレビ放送信号から第一デジタル方式のテレビ放送の番組情報を抽出し、上記記憶部に該番組情報を記憶し、第二デジタルテレビ放送受信部において第二デジタル方式のテレビ放送信号を受信し、上記番組情報処理部が該受信された第二デジタル方式のテレビ放送信号から第二デジタル方式のテレビ放送の番組情報を抽出し、上記記憶部に該番組情報を記憶し、また、アナログ放送受信部に於て受信されたアナログ方式のテレビ放送信号は、上記アナログ系表示用信号処理部において、テレビ番組の表示信号又は／及び上記記憶部から読み出された番組情報の表示信号を生成し、表示部に表示可能である事を特徴とする請求項２に記載のテレビ放送受信装置でもある。
【００９０】
従って、アナログ方式のテレビ番組の視聴中は、他の受信可能な全てのデジタル方式のＥＰＧデータをメモリに記憶することができ、常に最新のＥＰＧデータを保持することができる。さらに、アナログ方式のテレビ番組の視聴中でも、受信可能な如何なる方式のデジタルテレビ放送のＥＰＧデータをも確認することが可能となる。
【００９１】
さらに、本発明では、上記表示部において、上記テレビ番組の映像と番組情報を同時に表示することも可能である。
【００９２】
従って、あるテレビ番組を視聴中であっても、その番組を視聴し続けながら、ＥＰＧデータを確認することも可能となる
【図面の簡単な説明】
【図１】本発明の第１の実施例のブロック図
【図２】本発明の第２の実施例のブロック図
【図３】本発明の第３の実施例のブロック図
【図４】従来技術の概念図
【符号の説明】
１０１            第一デジタルチューナ
１０２            第二デジタルチューナ
１０３            第一ビデオデコーダ
１０４            第一ＯＳＤプロセッサ
１０５            分離ソフト
１０６            メモリ
１０７            ＣＰＵ
１０８            第二ビデオデコーダ
１０９            第二ＯＳＤプロセッサ
１１０            ＮＴＳＣエンコーダ
２０１            ＢＳ／ＣＳ１１０度デジタルチューナ
２０２            地上波デジタルチューナ
２０３            ＢＳ／ＣＳ１１０度ビデオデコーダ
２０４            ＢＳ／ＣＳ１１０度ＯＳＤプロセッサ
２０５            分離ソフト
２０６            メモリ
２０７            ＣＰＵ
２０８            地上波ビデオデコーダ
２０９            地上波ＯＳＤプロセッサ
２１０            ＮＴＳＣエンコーダ
２１１            切り換えスイッチ
３０１            アナログチューナ
３０２            ＮＴＳＣデコーダ
３０３            アナログ系ＯＳＤプロセッサ
３０４            ＮＴＳＣエンコーダ
３０５            切り換えスイッチ
３０６            ＢＳ／ＣＳ１１０度分離ソフト
３０７            地上波分離ソフト
４０１            テレビ
４０２            ＶＴＲ
４０３            専用端末機
４０４            ＥＰＧデータ
４０５            リモートコントローラ
【図１】
2004228992.tif 000003
【図２】
2004228992.tif 000004
【図３】
2004228992.tif 000005
【図４】
2004228992.tif 000006